(57)【要約】      （修正有）【課題】安全性や平坦度の問題等を改善した懸吊承架金物素子の改良構造を提供する。【解決手段】懸吊承架金物素子の改良構造は、ワイヤーロープ懸吊、或いは、支承棒懸吊の承架専用の金物素子であって、主に、本体と鎖結素子間に、特有の施力パッドを設置して、装着結合応力、装着時の安全、ワイヤーロープ鎖結後の平坦度要求、ワイヤーロープ、或いは、支承棒表層面を破壊しないことなどを改善し、快速な装着、面性鎖結力と防滑脱等の功能を達成し、各種懸吊承架産業に応用できる。【選択図】図４
0003144455.tif 000002
【実用新案登録請求の範囲】
【請求項１】
懸吊承架金物素子の改良構造であって、主に、金物素子本体、施力パッド、及び、鎖結素子からなり、
前記金物素子本体は、前に、承架を挟着、固定する制限槽を設置し、且つ、後部に、縦向けで、半円の開放槽を有し、中央部に、垂直に螺紋孔を開設し、前記螺結素子が前記施力パッドにより鎖入し、
前記施力パッドは、片状体で、厚さは、前記開放槽の幅より若干小さく、中央に、凹型空間を有し、前記螺結素子に最適空間と最大施力点を提供し、次に、前記施力パッドが対応するワイヤーロープ、或いは、支承棒施力面は、凹型嵌合構造設計を利用し、効果的に、前記ワイヤーロープ、或いは、支承棒に対し嵌合を実行し、また、前記施力パッドの上下両端は、斜向の導切面を有し、前記ワイヤーロープが直接、前記施力パッドを穿過する時、前記ワイヤーロープの導入が便利で、快速になり、
前記螺結素子は、前記施力パッドにより、前記金物素子本体の垂直な螺紋孔に鎖設し、前記鎖結素子を前記施力パッド中央の凹型空間内に配置することを特徴とする懸吊承架金物素子の改良構造。
【請求項２】
前記金物素子本体は、単一方向、双方向、垂直、或いは、その他の方式で接続されることを特徴とする請求項１に記載の懸吊承架金物素子の改良構造。
【考案の詳細な説明】
【技術分野】
【０００１】
本考案は懸吊承架金物素子の改良構造に関するものであって、特に、公知の懸吊承架金物素子が、螺結素子の単一点の鎖結力に依存し、安全性や、単一点の鎖結によるワイヤーロープや支承棒表層面の破壊、ワイヤーロープの鎖結に必要とされる平坦度の問題等を改善する懸吊承架金物素子の改良構造に関するものである。
【背景技術】
【０００２】
図１は、公知のワイヤーロープ、或いは、支承棒を承架する金物素子（A１０）の分解構造を示す図で、この種の金物素子（A１０）は、本体（A１）と鎖結素子（A２）からなる。本体（A１）は、前に、制限槽（A１１）を設置し、承架（図示しない）辺縁を固定する。次に、本体（A１）後部に、縦向けで、半円の開放槽（A１２）を有し、中央部に、垂直に螺紋孔（A１３）を開設し、螺結素子（A２）が鎖入し、直接、ワイヤーロープB、或いは、支承棒に固定される。
【０００３】
図２を参照すると、金物素子（A１０）は、開放槽（A１２）内で、ワイヤーロープ（B）、或いは、支承棒を穿過する時、ワイヤーロープ（B）、或いは、支承棒は、まず、開放槽（A１２）に沿って直立させる。螺紋孔（A１３）は尾槽（A１４）を有し、螺結素子（A２）が螺結した後、鎖結によるワイヤーロープ（B）の湾曲、変形が生じる。この現象を金物素子（A１０）から分析すると、ワイヤーロープ（B）に分置された金物素子（A１０）が湾曲状態を生成し、機構の平坦度が不足し、懸吊承架の構造性と安全性に影響する。
【０００４】
次に、公知の金物素子（A１０）をワイヤーロープ（B）、或いは、支承棒に鎖結する時、螺結素子（A２）を直接垂直に鎖入する。この種の鎖結方式は、ロープ（B）、或いは、支承棒表面が強力な鎖結により破壊することがあり、痕が残ったり、凹洞ができたりし、又、鎖結する毎に、痕と凹洞が生成されて、ワイヤーロープ（B）が裂けたり、或いは、支承棒表面が凹洞により錆を誘発する。
【０００５】
この他、公知の金物素子（A１０）は、単一の螺結素子（A２）により単一点で鎖結し、負荷応力に耐える。よって、単一の鎖結点の滑脱は、人員の安全に影響するだけでなく、貴重な物品を懸吊承架する時に、物品が落下して損傷する可能性がある。
【考案の開示】
【考案が解決しようとする課題】
【０００６】
本考案の目的は、懸吊承架金物素子を提供し、公知の懸吊承架金物素子が、螺結素子の単一点の鎖結力に依存し、安全性や、単一点の鎖結によるワイヤーロープや支承棒表層面の破壊、ワイヤーロープの鎖結に必要とされる平坦度の問題等を改善することにある。
【課題を解決するための手段】
【０００７】
本考案の金物素子は、金物素子本体、施力パッド、及び、鎖結素子からなる。螺結素子は施力パッドにより、金物素子本体をワイヤーロープや支承棒上に分置し、高度差のある構造を形成し、挟合鎖結して、懸吊式の承架機構を形成する。
【考案の効果】
【０００８】
公知の懸吊承架金物素子の安全性、及び、ワイヤーロープの鎖結に必要とされる平坦度の問題等を改善する。
【考案を実施するための最良の形態】
【０００９】
図３を参照すると、懸吊承架金物素子の改良構造は、主に、本体１、施力パッド２、及び、螺結素子３、からなり、本体１は公知の形状と同じで、前に、承架４を挟着、固定する制限槽１１を設置している。本体１後部に、縦向けで、半円の開放槽１２を有し、中央部に、垂直に螺紋孔１３を開設し、螺結素子３は施力パッド２により鎖入し、直接、ワイヤー５、或いは、支承棒６に固定される。
【００１０】
本考案の懸吊承架金物素子の本体１の形式は、承架４に応じて変化でき、単一方向（図３で示される）、双方向（図７で示される）、垂直、或いは、その他の方位があり、主体構造上、ワイヤーロープ５、或いは、支承棒６を鎖結するものである。
【００１１】
図５を参照すると、本考案の施力パッド２は片状で、厚さは、開放槽１２の幅より若干小さく、中央に、凹型空間２１を有し、この凹型空間２１により、螺結素子３に最適空間と最大施力点を提供し、推力が最大になる。また、施力パッド２を制限して、本体１の開放槽１２中で遺失する問題を改善する。
【００１２】
次に、施力パッド２が対応するワイヤーロープ５、或いは、支承棒６施力面は、凹型嵌合構造２２設計を利用し、効果的に、ワイヤーロープ５、或いは、支承棒６に対し嵌合を実行し、効果的に、施力パッド２のワイヤーロープ５、或いは、支承棒６間の嵌合面積を増加して、嵌合力を高める。
【００１３】
図４、及び、図６を参照すると、施力パッド２の上下両端に、斜向の導切面２３を有し、ワイヤーロープ５が直接、施力パッド２を穿過する時、ワイヤーロープ５の導入が便利で、快速になり、装着が更に迅速で確実である。特に、螺結素子３により垂直に鎖結後、施力パッド２の凹型嵌合構造２２により、ワイヤーロープ５を直立状態に維持して、ワイヤーロープ５上に設置するのに必要な平坦度を確保する。
【図面の簡単な説明】
【００１４】
【図１】公知の懸吊承架金物素子の分解構造を示す図である。
【図２】公知の懸吊承架金物素子装着後の形態分析図である。
【図３】本考案の装着後の好ましい実施例を示す図である。
【図４】本考案の各素子の分解構造図である。
【図５】本考案の施力パッドの構造図である。
【図６】本考案の装着後の全体断面図である。
【図７】本考案を支承棒に装着したもう一つの実施例を示す図である。
【符号の説明】
【００１５】
金物素子（A１０）
本体（A１）
鎖結素子（A２）
制限槽（A１１）
半円の開放槽（A１２）
螺紋孔（A１３）
ワイヤーロープB
尾槽（A１４）
本体１
施力パッド２
螺結素子３
承架４
制限槽１１
半円の開放槽１２
螺紋孔１３
ワイヤー５
支承棒６
凹型空間２１
凹型嵌合構造２２
【図１】
0003144455.tif 000003
【図２】
0003144455.tif 000004
【図３】
0003144455.tif 000005
【図４】
0003144455.tif 000006
【図５】
0003144455.tif 000007
【図６】
0003144455.tif 000008
【図７】
0003144455.tif 000009